Podtech/llm-jp-corpus-v4-ja_patent huggingface dataset:
(57)【特許請求の範囲】
【請求項１】
構造物の支柱であって、当該支柱は筒形であり、当該支柱には、Ｌ形板の部材（２）が、柱の対角位置にある角部に固定されており、Ｌ形板の部材（２）の各辺は、前記対角位置にある角部側を固定部（３）とし、他側を取付部（５）とし、固定部（３）と取付部（５）を、開閉部（４）により開閉可能とすることにより、Ｌ形板の部材（２）は、Ｌ形の状態とＭ形の状態となることが可能とされ、取付部（５）には、他の部材（７）が取付可能とされている、柱の全面で自在に開閉可能な取付部を有する支柱。
【請求項２】
平板のダンボール製の筒形からなる請求項１に記載の支柱。
【発明の詳細な説明】
【技術分野】
【０００１】  この発明は、図１に部材を取付ける事で全ての面で折り畳んだり開閉できる固定支柱に関するものである。
【背景技術】
【０００２】  従来、柱の面に目的の為設計に合わせて部材を取り付ける構造体である。
【先行技術文献】
【０００３】
【特許文献１】
【非特許文献１】
【発明の概要】
【発明が解決しようとする課題】
【０００４】  従来、構造物の支柱が構造物と一体となっているもので、専門職に委ねるのが一般的である。
本発明は、柱の面に取付部を固定し、素人でも簡単に組立てたり分解が出来る支柱である。
【課題を解決するための手段】
【０００５】  図１の角材に、図２の部材を図３のごとく固定し、図４のごとく開閉でき、図５のごとく取付できる状態で図６の取付け穴に図７の板を取付け図９のごとく四面全てが取付できる支柱である。
本発明は、以上の構成よりなる開閉固定支柱である。
【発明の効果】
【０００６】  柱状に全面取付可能な部材を固定した支柱で、他の部材と固定したり分解もでき、材料も鉄材・木材・その他幅広く、目的に応じて組合わせも自由に選択できるため、新しい構造物が発見できる支柱である。
【図面の簡単な説明】
【０００７】
【図１】  本発明の斜視図である。
【図２】  本発明の平面図である。平板を筒状の柱とし、（５）の取り付け部（４）の開閉部を設けた部材を（１）の柱に（３）のごとく接着又は固定し（２）のＬ形板がＭ形板に開閉できる一体とした開閉固定支柱である。（１）の部材は例としてダンボール材で構成した支柱です。
【発明を実施するための形態】
【０００８】以下、本発明を実施するための形態について説明する。
角材（１）の面に開閉可能な部材（２）を対角に（３）のごとく固定する事で（４）のごとくＭ型の状態やＬ型の状態になり（５）のごとく全ての面で取付部となり、様々な構造物として、固定も分解もできる支柱である。
【符号の説明】
【０００９】１  角材
２  部材
３  固定部
４  開閉部
５  取付部
６  取付穴
７  板
８  取付穴
９  取付部
【図１】
0006205537.tif 000002
【図２】
0006205537.tif 000003
(57)【特許請求の範囲】
【請求項１】
スト−マ装具面板の挿入口の内径部分とストーマの外形部分との間に、ストーマ外形よりも挿入口径が少し小さめのスポンジシ−ルを圧縮して挟むことを特徴とする排便洩れ防止装具。以上の構成によりなる排便洩れ防止装具。
【発明の詳細な説明】
【技術分野】
【０００１】この発明は、ストーマ保有者が使用する一般市販面板とストーマ異形径の隙間から排便洩れがおきて常に不安で安心安全の生活が送れない為、不安解消の為排便洩れ防止装具に関する物である。
【背景技術】
【０００２】従来の排便装具の中の面板とトーマ異形径による隙間及びぜん動運動でおきる排便洩れに対処する物は市場にはなく粘土で隙間を埋める物がありますが確実に洩れて市場には対処する物はなく、ストーマ保有者は日常生活で常に不安を抱えている。
【発明の開示】
【発明が解決しようとする課題】
【０００３】これは次のような欠点があった。
市販面板は従来、スト−マの大きさに合わせて面板に穴加工された物か自分でスト−マに合わせて穴をハサミで切り取るものが有りますがストーマの異形等どうしても隙間ができるのと腸のぜん動運動でストーマ周りのお腹の面が凹凸を繰り返すので凹み状態の時面板取付け面とお腹の面の間に空洞ができるその空洞に排便圧を受けて排便が侵入すると面板がいずれ剥がれて大変な事態が起きる。隙間及び空洞を埋める事で排便の浸入を防ぐのにスポンジのクッション力により同時解決しようとするもので、シリコンスポンジシールの厚みを圧縮して挟む事で排便洩れの二つの原因を同時に解決して排便の浸入を塞ぐ事が出来る。無防備な面板構造部に欠点をなくす為になされたものである。
本発明は以上のような欠点をなくす為になされた物である。
【課題を解決するための手段】
【０００４】シリコンスポンジシール（１）を自分のストーマ径に応じ挿入口径を少し小さめのものを透明リング（２）に指で広げ先端部に取付け自分のストーマを目で確認しながらそっと挿入してＥ−断面の“ｂ”矢視部を指で添えて透明リング（２）を抜取りお腹に密着させて肌に優しい接着面をお腹と一体感を持たせる為、その後市販面板を挿入して面板全面に圧力を加えシリコンスポンジシール（１）の厚みを圧縮する事で均一に貼付けられる。腸のぜん動運動でお腹の面が凹み空洞状態になるとシリコンスポンジシール（１）がお腹の凹みに応じシリコンスポンジのクッション力で連動してふくらみ空洞を埋めてくれ浸入を防ぐ又、凸の状態の場合は取付け面に圧力がかかり尚、密着性が高まるのでシール性が上がる、以上の事から排便の浸入を防ぐ対策が出来る構造からなる、
本発明は以上の構成よりなる排便洩れ防止装具である。
【発明の効果】
【０００５】排便洩れの道を塞ぐ事及び腸のぜん動運動で市販面板を取付けた面とお腹の間に出来る空洞をシリコンスポンジの厚みを圧縮する事によるクッションを利用してお腹の凹み空洞に応じてスポンジのクッション力が連動して埋めてくれるので面板の裏面に排便の浸入を防ぎ遮断できる構成です。排便は時と場所を選ばずあるので、いかなる状況での排便も気にせず普通人と変わらず安心安全の日常生活を送る事が出来る。シリコンスポンジならではの柔軟性とソフトでかさばらず今迄と違和感なく使用しやすい、これは固形のものでは対処ができない、数々のハンデを克服する事ができて患者、看護婦さん達が突然の排便洩れに右往左往する光景も減る事になり看護婦さんの嫌な仕事も削減する事もできる、ストーマに取付け時ストーマの下側は自分の目視では確認できないので［図３］のＢ−Ｂ矢視の様に中心が同じに取付けは困難であるもし芯振れがおきると隙間は偏り表面積が片側だけ大きくなるとわずかな排便圧で接着面が剥がれて排便洩れを受入れる原因が大きくなり不安がおきるが、これを使用する事で他人の補助を受けても熟練者でなくても正確に又自分でも装着できて均一性が有り安心安全の効果がある。当然ストーマ保有者には救世主になりえるものであると期待感が持てる効果もある。
【発明を実施するための最良の形態】
【０００６】以下、本発明を実施するための最良の形態について説明する。
面板のストーマ挿入口に薄い円板状のシリコンスポンジシール（１）を自分のストーマ径に応じた挿入口径を少し小さめのものを選定して［図３］Ｅ−断面の様に透明リング（２）に穴を指で広げ先端部に取付け自分のストーマを目で覗き確認しながらそっと挿入するＥ−断面の状態です。“ｂ”矢視部に指を添えて透明リング（２）を抜取りストーマの異形径を矯正してはめる、［図３］Ｆ−断面の様な状態にする。［図１］のＡ部詳細のシリコンスポンジシール（１）の“ａ”の部分三面は肌に排便が浸透するのを防ぎ肌を保護する為に軟質シリコーンの薄い膜を貼り外面に市販面板と同等の肌に優しい接着剤を塗布させたものとしておきます、矯正してはめたその後市販面板を［図３］Ｆ−断面の状態に挿入して面板全面に圧力を加えシリコンスポンジシール（１）の厚みを均等に圧縮すると透明リング（２）を抜取る、充分圧縮する事により排便洩れの二つ原因を同時に解決して接着面とお腹に一体感を持たせる事で使用状態になる、ぜん動運動でお腹の面の動きに応じてお腹が凹み空洞状態になるとシリコンスポンジシール（１）のクッション力によりすかさず膨らみ空洞を埋め浸入を防ぐ又、凸の状態の場合は取付け面に圧力がかかり尚、密着性が高まるのでシール性が上がる。
以上の事から排便の浸入を防ぐ対策が出来る構造からなる。［図３］のＤ−断面の様な状態で取付けストーマの隙間を塞ぐ［図３］のＢ−Ｂ矢視及びＣ−断面のごとく排便の道を塞ぎ又ぜん動運動によるお腹の凹みにより面板とお腹の間に空洞が出来る事を阻止した図です、そこに排便の浸入がおきない様にする事でいかなる排便も安心安全の生活が出来る。今までの市販面板の様に無防備に排便の浸入を１００％お腹に受けない構造にした排便洩れ装具である。
本発明は、以上のような構造である。
【図面の簡単な説明】
【０００７】
【図１】  本発明の取付け状態の断面図及び正面図他詳細図である。
【図２】  本発明の製品の斜視図である。
【図３】  本発明の矢視図及び断面図説明用図面である。
【符号の説明】
【０００８】  １    ソフトスポンジシ−ル
２    透明リング
【図１】
0006205908.tif 000002
【図２】
0006205908.tif 000003
【図３】
0006205908.tif 000004
(57)【特許請求の範囲】
【請求項１】
液体を掬う部分と、網部と、手持ち部分からなる多用途おたまであって、三日月形の網部がその両端で液体を掬う部分の上側縁と接続し、網部の下側縁と液体を掬う部分の上側縁との間の隙間があぶら取り用の切れ込みとなり、液体を掬う部分の凹部内に計量目盛を有する多用途おたま。
【請求項２】
前記三日月形の網の最も高い部分が、１．５ｃｍ〜３ｃｍであり、網部の下側縁と液体を掬う部分の上側縁との間に隙間がある請求項１に記載の多用途おたま。
【発明の詳細な説明】
【発明の概要】
【発明が解決しようとする課題】
【０００１】あぶら取り、灰汁取り、味噌溶かし、計量目盛り
【課題を解決するための手段】
【０００２】鍋で料理する際の灰汁による吹きこぼれ防止と灰汁取り、
あぶら取り用の専用落し蓋ペーパーの価格が高いため、
経済的に衛生的にごみを減らし、多目的に価値観を広げ考案してみた。
また毎回味噌汁を作る際、味噌の塊を溶かすとき二重容器の仕様が不便なため
多用途おたま一つで、解決できる１石５鳥の効果を楽しめる商品である。
【発明の効果】
【０００３】落し蓋ペーパーとあぶら取りペーパーの使用費節約、ゴミを減らすことができる。
味噌を溶かす際の目盛りの利便性に多用途おたま一つで時間節約。
【図面の簡単な説明】
【０００４】
【図１】多用途おたまの各部説明である。
【図１−１】多用途おたまの全面図であり、おたま上部の全面図とそれぞれの網目の大きさを▲１▼の０．５ｃｍから▲１６▼０．３ｃｍで説明した図である。
【図２】多用途おたま丸網型の各部説明である。
【図２−１】多用途おたま丸網型の全面図であり、おたま上部の全面図とそれぞれの網目の大きさを▲１▼の０．５ｃｍから▲１６▼０．３ｃｍで説明した図である。
【図３】網の高さ低めの多用途おたまの各部説明である。
【図３−１】網の高さ低めの多用途おたまの全面図であり、おたま上部の全面図とそれぞれの網目の大きさを▲１▼の０．５ｃｍから▲１２▼の０．５ｃｍで説明した図である。
【図４】網の高さ低めの多用途おたま丸網型の各部説明である。
【図４−１】網の高さ低めの多用途おたま丸網型の全面図であり、おたま上部の全面図とそれぞれの網目の大きさを▲１▼の０．５ｃｍから▲１２▼の０．５ｃｍで説明した図である。
【図５】網のないタイプのあぶら取りおたまの図と、おたまを上部から見た図である。
【図５−１】図５の網のないタイプのあぶら取りおたまの図の各部符号の説明である。
【発明を実施するための形態】
【実施例】
【０００５】図１
（１）多用途おたま総長さ３３ｃｍ
（２）手持ち部分２８ｃｍパイプ太さ０．８ｃｍ上から下にいくにつれ０．４ｃｍ細くなる
（３）網の付け根部分の切れ込み０．２ｃｍ〜０．３ｃｍ
（４）おたまの直径９．５ｃｍ
（５）ボールの深さ４．５ｃｍ
（６）計量目盛り  大さじ５杯表記
（７）手持ち部分の太さ２．５ｃｍ
（８）付け根部分の太さ１．５ｃｍ
（９）折り返し部分２ｃｍ  角度７０°
（１０）ステンレス網の穴の大きさ０．１ｃｍ〜０．２ｃｍ以内
（１１）網の高さ３ｃｍ
図２
（１）多用途おたま総長さ３３ｃｍ
（２）手持ち部分２８ｃｍパイプの太さ０．８ｃｍ上から下にいくにつれ０．４ｃｍ細くなる
（３）網の付け根部分の切れ込み０．２ｃｍ〜０．３ｃｍ
（４）おたまの直径９．５ｃｍ
（５）ボールの深さ４．５ｃｍ
（６）計量目盛り  大さじ５杯表記
（７）手持ち部分の太さ２．５ｃｍ
（８）付け根部分の太さ１．５ｃｍ
（９）折り返し部分２ｃｍ  角度７０°
（１０）ステンレス網の穴の大きさ０．１ｃｍ〜０．６ｃｍ以内
（１１）網の高さ３ｃｍ
図３
（１）多用途おたま総長さ３０ｃｍ
（２）パイプ太さ０．８ｃｍ上から下にいくにつれ０．４ｃｍ細くなる
（３）網の付け根部分の切れ込み０．２ｃｍ〜０．３ｃｍ
（４）おたまの直径９ｃｍ
（５）ボールの深さ２．５ｃｍ
（６）計量目盛り  大さじ５杯表記
（７）手持ち部分の太さ２ｃｍ
（８）付け根部分の太さ１ｃｍ
（９）折り返し部分の２ｃｍ  角度７０°
（１０）ステンレス網の穴の大きさ０．１ｃｍ〜０．２ｃｍ以内
（１１）網の高さ１．５ｃｍ
図４
（１）多用途おたま総長さ３０ｃｍ
（２）パイプ太さ０．８ｃｍ上から下にいくにつれ０．４ｃｍ細くなる
（３）網の付け根部分の切れ込み０．２ｃｍ〜０．３ｃｍ
（４）おたまの直径９ｃｍ
（５）ボールの深さ２．５ｃｍ
（６）計量目盛り  大さじ５杯表記
（７）手持ち部分の太さ２ｃｍ
（８）付け根部分の太さ１ｃｍ
（９）折り返し部分２ｃｍ  角度７０°
（１０）ステンレス網の穴の大きさ０．１ｃｍ〜０．６ｃｍ以内
（１１）網の高さ１．５ｃｍ
図５
（１）全体長さ２８ｃｍ
（２）手持ち部分の長さ２５ｃｍ
（３）おたま中心部から手持ち部分の角度１３６°
（４）おたまの深さ４ｃｍ
（５）（６）の切れ込み位置が下に０．６ｃｍ
（６）切れ込み０．１ｃｍ−０．２ｃｍ（あぶら取り）
（７）おたまの直径９ｃｍ
（８）（上）と（下）２分の１（上）の上部分だけ切れ込み
（９）手持ちの下部分で０．８ｃｍ  幅５ｃｍ上に繋がる
（１０）幅１ｃｍ  ６ｃｍ上に繋がる
（１１）幅２ｃｍ  長さ１０ｃｍ  太さ１．２ｃｍ上に繋がる
（１２）幅１．５ｃｍ  長さ４ｃｍ  角度３０°曲がる
（１３）（８）の平面イメージ
（１４）大さじ５杯  表記
図１ないし図４の発明
液体を掬う部分と、網部と、手持ち部分からなる多用途おたまであって、三日月形の網部がその両端で液体を掬う部分の上側縁と接続し、網部の下側縁と液体を掬う部分の上側縁との間の隙間があぶら取り用の切れ込みとなり、液体を掬う部分の凹部内に計量目盛を有する多用途おたまである。
前記三日月形の網の最も高い部分が、１．５ｃｍ〜３ｃｍであり、網部の下側縁と液体を掬う部分の上側縁との間に隙間がある多用途おたまとしてもよい。
図５の発明
液体を掬う部分と、手持ち部分からなるあぶら取りおたまであって、液体を掬う部分の上側縁に平行して半円周にわたって、スリット状切れ込みを持ち、液体を掬う部分の凹部内に計量目盛を有するあぶら取りおたまである。
【産業上の利用可能性】
【０００６】［添付図１］多用途おたま
多用途おたま一つで、落し蓋ペーパーやあぶら取りペーパーの使用費節約  味噌汁を作る際に味噌を溶かすための道具節約、衛生的に簡易的である。
【図１】
0006114030.tif 000002
【図１−１】
0006114030.tif 000003
【図２】
0006114030.tif 000004
【図２−１】
0006114030.tif 000005
【図３】
0006114030.tif 000006
【図３−１】
0006114030.tif 000007
【図４】
0006114030.tif 000008
【図４−１】
0006114030.tif 000009
【図５】
0006114030.tif 000010
【図５−１】
0006114030.tif 000011
(57)【特許請求の範囲】
【請求項１】
あわび殻体粉末品混合濃縮液と、植物性混合オイルとを混合し、攪半し、石鹸溶液を生成し、型成形することを特徴とする石鹸の製造方法であり、
前記あわび殻体粉末品混合濃縮液は、あわび殻体粉末混合濃縮水に苛性ソーダを少量づつ混合し、撹拌されることにより製造され、
前記あわび殻体粉末品混合濃縮水は、あわび殻体粉末品、植物、海産物の粉末品と、飲料水とを混合し、加熱沸騰処理されることにより製造され、
前記あわび殻体粉末品は、あわび貝殻表面の外殻皮に付く不純物を除去、外殻皮と不純物混入部を研削加工で削除し、稜柱層と、真珠層からなるあわび殻体を製造し、前記あわび殻体を粉砕加工、乾式研削加工により製造されることを特徴とする石鹸の製造方法。
【請求項２】
前記植物、海産物の粉末品は、ヨモギ、ドクダミ、柿、桜、アロエ、金柑、柚子、カリン、ゴーヤ、大豆、および小豆の植物を水洗いし、乾燥処理し、粉砕加工し、植物粉砕品を製造し、ナマコ、牡蠣、アメフラシの半固形品、ワカメの茎下部を、乾燥処理し、粉砕加工し、海産物粉末品を製造し、前記植物粉末品と、前記海産物粉末品より選ばれる少なくとも1種とすることを特徴とする請求項１記載の石鹸の製造方法。
【発明の詳細な説明】
【技術分野】
【０００１】
本発明は、あわび殻体粉末品混合濃縮液と、植物性混合オイルとを混合し、石鹸溶液を生成する石鹸の製造方法に関するものである。
【背景技術】
【０００２】
肌を洗い、肌を守る石鹸は、皮膚障害、アレルギー性反応を起こさない、高い安全性であること。化学物資を配合する石鹸は、肌の安全性に疑問を感じる。安心して使用することができる石鹸は、化学物質の配合をなくし、天然物である、あわび殻体粉末品、植物、海産物の粉末品、および植物性混合オイルとで混合生成する石鹸の製造方法から製造されるものである。
【０００３】
あわび殻体粉末品を生成する方法として、あわびの貝殻を高温焼成処理、粉砕処理で生成する方法で、生成した粉体を含有した化粧料（特許文献１参照）が提供されている。しかし貝殻外殻皮に付いた海藻、フジツボ、外殻皮、および貝殻の不純物混入部とともに高温焼成処理、粉砕処理することは、純粋なあわび殻体粉末品でない。
【先行技術文献】
【特許文献】
【０００４】
【特許文献１】特開２００１−０４８７４８号公報。
【発明の概要】
【発明が解決しようとする課題】
【０００５】
従来の技術では、あわび貝殻の外殻皮に付いた付着物、外殻皮、および不純物混入部を除去せず粉砕処理することは、あわび殻体粉末品に不純物を含有するという問題があった。 本願発明は、従来の問題点を解決するもので、あわび貝殻の外殻皮に付いた付着物を除去し、外殻皮、および不純物混入部を削除し、稜柱層と真珠層からなるあわび殻体から粉末品を生成し、主成分の炭酸カルシウム、ミネラル、アミノ酸を含有するあわび殻体粉末品を混合する石鹸の製造方法を提供することを課題とする。
【課題を解決するための手段】
【０００６】
上述した課題を解決するために、本発明の石鹸の製造方法は、あわび殻体粉末品混合濃縮液と、植物性混合オイルとを混合し、攪半し、石鹸溶液を生成し、型成形する石鹸の製造方法であり、前記あわび殻体粉末品混合濃縮液は、あわび殻体粉末混合濃縮水に苛性ソーダを少量づつ混合し、撹拌されることにより製造され、
前記あわび殻体粉末品混合濃縮水は、あわび殻体粉末品、植物、海産物の粉末品と、飲料水とを混合し、加熱沸騰処理されることにより製造され、
前記あわび殻体粉末品は、あわび貝殻表面の外殻皮に付く不純物を除去、外殻皮と不純物混入部を研削加工で削除し、稜柱層と、真珠層からなるあわび殻体を製造し、前記あわび殻体を粉砕加工、乾式研削加工からなる石鹸の製造方法である。
【０００７】
前記植物、海産物の粉末品は、ヨモギ、ドクダミ、柿、桜、アロエ、金柑、柚子、カリン、ゴーヤ、大豆、および小豆の植物を水洗いし、乾燥処理し、粉砕加工し、植物粉砕品を製造し、ナマコ、牡蠣、アメフラシの半固形品、ワカメの茎下部を、乾燥処理し、粉砕加工し、海産物粉末品を製造し、前記植物粉末品と、前記海産物粉末品より選ばれる少なくとも1種を混合する石鹸の製造方法である。
【発明の効果】
【０００８】
炭酸カルシウム、ミネラル、アミノ酸を含有するあわび殻体粉末品、植物、海産物の粉末品、および植物性混合オイルを混合し、石鹸溶液を生成し、安全で、安心して使用できる石鹸の製造方法を提供できる。
【発明を実施するための形態】
【０００９】
本発明の石鹸の製造方法を詳細に説明する。 本発明で使用するあわび殻体粉末品は、あわび貝殻表面の外殻皮に付く付着物を除去し、外殻皮、あわび貝殻本体内に存在する不純物混入部を研削加工で削除し、稜柱層と真珠層からなるあわび殻体から生成する。
【００１０】
前記あわび殻体粉末品は、上述の稜柱層と真珠層からなるあわび殻体を粉砕機で粉砕加工、乾式研削加工で生成する。
【００１１】
本発明で使用する植物粉末品は、ヨモギ、ドクダミ、アロエの葉と茎、柿、桜、金柑、柚子の若葉、カリン、ゴーヤの果肉および大豆、小豆の種子をそれぞれ水洗いし、自然乾燥または通風乾燥で乾燥処理し、粉砕機で粉砕加工し、製造する。
【００１２】
本発明で使用する海産物粉末品は、ナマコ、牡蠣、アメフラシの内臓を除去し、煮詰め処理またはマイクロ波加熱処理してなる半固形品と、水洗いしたワカメの茎下部とを自然乾燥または通風乾燥で乾燥処理し、粉砕機で粉砕加工し、製造する。
【００１３】
前記あわび殻体粉末品２．０〜３．５質量％、前記植物粉末品と前記海産物粉末品より選ばれる少なくとも１種を０．４〜１．２質量％および地下水または水道水の飲料水を混合し、加熱沸騰処理し、炭酸カルシウム、アミノ酸を含有するあわび殻体粉末品混合濃縮水を製造する。 前記あわび殻体粉末品混合濃縮水に苛性ソーダ２４．０〜２８．０質量％を少量づつ混入し液温４０℃〜６０℃を保持して攪半することで苛性ソーダを含有するあわび殻体粉末品混合濃縮液を製造する。
【００１４】
植物性混合オイルは、主材のオリーブオイル６７．０〜７２．０質量％と、副材のココナッツオイル、パームオイル、ツバキオイルおよびホホバオイルより選ばれる少なくとも１種の副材植物オイルとを油温４０℃〜６０℃で混合し、攪半し、液状保温する。
【００１５】
前記油温４０℃〜６０℃の植物性混合オイルに、液温４０℃〜６０℃の前記あわび殻体粉末品混合濃縮液を少量づつ混入し、攪半し、石鹸溶液を生成し、丸型、楕円型、四角型およびハート型等の石鹸形状に型成形する石鹸の製造方法である。
【要約】
【課題】  毎日使用する石鹸は、安全であることが第一である。天然物で、飲食用の植物、海産物から素材を選択し、体に安全で安心して使用できる石鹸の製造方法を提供することである。
【解決手段】  人体に安全で、肌を洗う石鹸は、あわび殻体粉末品のミネラル成分と、飲用植物、飲用海産物が持つ肌にやさしい成分を含有するあわび殻体粉末品混合濃縮水を製造し、苛性ソーダを混入したあわび殻体粉末品混合濃縮液を生成し、植物性混合オイルとを混合し、攪半し、石鹸溶液を生成し、型成形することにより安心して使用でき、肌にやさしさを与えることができる石鹸の製造方法である。
【選択図】なし
(57)【特許請求の範囲】
【請求項１】
小型油圧ショベルのアタッチメントとして、その油圧ショベルの油圧を利用し、油圧モーターによって先端にセットした４枚刃のロータを高速回転させる、伐根切削破砕機において、前記ロータは鉛直方向の回転軸周りに回転するものであって、その側面に鉛直方向に延びる４枚の刃を組み込み、地上１０〜３０ｃｍ程度残る伐根を側面からなぞるように往復を繰り返すことにより、伐根の地上部分を切削破砕して、チップ状に削り、周辺地盤と同レベル程度にし、キャタピラー式等の運搬機の走行を容易にする伐根切削破砕機。
【発明の詳細な説明】
【技術分野】
【０００１】  この発明は、森林の伐採から新植・再生までを極めて高効率にした装置である。
【発明の概要】
【発明が解決しようとする課題】
【０００２】森林で、木材生産のため、伐採搬出をするにあたり、当然のことながらその場に伐根が地上１０〜３０ｃｍ程度残る。最近はゴム・鉄を問わず、キャタピラー構造の重機を使用するのが常であり、このため当然その場の伐根が障害となり、これを踏みつける事により、キャタピラーの損傷が激しく大きな損失を引き起こす。これはチェーンソーの能力では解決できない場合が多く、結局大型重機を搬入し、搬出路の障害となる伐根を掘り起こし、その場に放置、または運搬投棄（産業廃棄物処理法違反）をするが、放置した場合は山林更生のための新植地の下草刈り、手入れ等の障害となり、更には伐根痕の周辺は表土を破壊、土壌が劣化し、新植樹の生長が著しく劣る。
これを運搬投棄したりすることが多く、この伐根の処理をすることが課題である。
【課題を解決するための手段】
【０００３】  以上の課題を解決するために、この『伐根切削破砕機』を小型油圧ショベルのアタッチメントとして、その油圧ショベルの油圧を利用し、油圧モーターによって先端にセットした４枚刃のロータを高速回転させ、かかる伐根を短時間でチップ状に削り、その地上と同レベル程度にし、土壌の保護はもとより運搬機キャタピラー類の走行の障害を解決した。
【図面の簡単な説明】
【０００４】
【図１】伐根切削破砕機  （ベースマシン略図）共  全体図
【図２】回転ロータ機構断面図
【図３】回転ロータ断面図  回転刃平面図、断面図
【図４】回転ロータ側面図
【発明を実施するための形態】
【０００５】  この発明の実施形態を、図１に示す。
小型油圧ショベル（通称０．２ｍ３・４〜５ｔ程度）のアタッチメントとして『伐根切削破砕機』を作成。これは油圧ショベルの油圧を利用し、図２断面図の油圧モーター回転速度を更に増速し、毎分１０００〜１３００回転を得て、アタッチメント先端の４枚刃を組み込んだロータを回転させ、伐根を側面からなぞるように往復を繰り返す。
【実施形態の効果】
【０００６】  この実施形態は、短時間で伐根の地上部分を切削破砕してしまう。切削破砕する伐根の大きさは問わない。また、作業において、オペレーターはこれを一人で操作する事が可能であるため、補助作業員は不要である。切削破砕された削りくずはチップ状となり、これは林内の肥料となるので、土壌保護だけではなく、大型重機や抜根、その整理のための労力を著しく軽減することができたため、自然豊かな山林の維持を可能にした。
【図１】
0006221190.tif 000002
【図２】
0006221190.tif 000003
【図３】
0006221190.tif 000004
【図４】
0006221190.tif 000005
(57)【特許請求の範囲】
【請求項１】
肌に当てて用いる洗顔用ブラシであって、抗菌剤を練り込んだＰＢＴ（ポリブチレンテレフタレート）繊維の植毛部分が先端に向い細くなっていくテーパー状にした毛先のあるＰＢＴ繊維に、人工的にウェーブを付けて前記植毛部分に広がりができ空気が入り込んで泡立ちがよくなるようにし、前記テーパー状になったＰＢＴ繊維の毛先を揃え、丸く円柱状のハンドルに植毛し先端部をフラット又は扇形のタイプの形状にし、前記ハンドルにつり紐を付けたことを特徴とする洗顔用ブラシ。
【発明の詳細な説明】
【発明の詳細な説明】
【技術分野】
【０００１】  この発明は洗顔用ブラシに関する。
【背景技術】
【０００２】  従来から洗顔料を泡立てて用いる洗顔用ブラシがある。
【先行技術文献】
【特許文献】
【０００３】
【特許文献１】実用新案登録第３１１４６１２号
【発明の概要】
【発明が解決しようとする課題】
【０００４】  洗顔時に獣毛では、刺激感が強すぎ、泡立ちも悪い、又獣毛はそもそも臭いがあり水分を含んだ時に特に臭いが強くなる。【０００５】  獣毛は水に弱く、水分を含んだ時間が長いと劣化が早く進み毛抜け、毛切れし長期使用が困難である。獣毛はそもそもアミノ酸とタンパク質で形成されており、カビの発生が早い等衛生面に問題がある。【０００６】  獣毛は洗顔中に毛がからみ合いスムーズに洗顔しにくく毛切れ毛抜けの、原因にもなる。
【課題を解決するための手段】
【０００７】  抗菌剤を練り込んだＰＢＴ（ポリブチレンテレフタレート）繊維の植毛部分が先端に向い細くなっていくテーパー状にした毛先のあるＰＢＴ繊維に、獣毛に近い微妙なウェーブを付けて、前記テーパー状になったＰＢＴ繊維の毛先を揃え、丸く円柱状のハンドルに植毛し先端部をフラットな形状にしたり、扇形にしたりする。【０００８】  テーパー状になったＰＢＴ繊維に獣毛に近い微妙なウェーブを公知の方法で人工的に付けることにより広がりのある洗顔ブラシにする。【０００９】  テーパー状になったＰＢＴ繊維に抗菌剤を練り込み衛生的な洗顔ブラシにする。
【発明の効果】
【００１０】  ＰＢＴ繊維がテーパー状になり毛先を付けることにより獣毛より肌触りがよくなりＰＢＴ繊維に獣毛に近い微妙なウェーブを人工的につけることにより広がりができ空気が入り込み、泡立ちもよくなる。【００１１】  ＰＢＴに抗菌剤を練り込まれた繊維を用いることによりカビ等の衛生面にも獣毛に比べ優れるものとする。【００１２】  植毛部をＰＢＴ１００（％）の繊維で構成することにより獣毛の独特な臭いもなくなり、耐久性にも優れる。
【図面の簡単な説明】
【００１３】
【図１】この発明の実態形態における洗顔用ブラシを示した側面図である。
【図２】図１の植毛部を扇型にした側面図である。
【図３】図１の洗顔用ブラシを示した平面図である。
【図４】洗顔用ブラシの植毛部の拡大図である。
【図５】植毛部の質量、ハンドル部分の構成をかえた洗顔用ブラシである。
【図６】図５より植毛部分、ハンドル部分をより小さくし鼻周辺専用の洗顔ブラシである。
【発明を実施するための形態】
【実施例】
【００１４】  図１〜図６を用いて発明の実施形態を説明する。【００１５】  図１に、この発明の洗顔用ブラシ１を示すが１ａは植毛部であり先端に向い細くなりテーパー状にした毛先のあるＰＢＴ繊維（ポリブチレンテレフタレート）を用いる。２のハンドル部分には水に強いアクリル樹脂を使う。ハンドル部に木材を使用すると水分により塗料が剥がれたり破損したりする。【００１６】  植毛部にはテーパー状になったＰＢＴ１００（％）の繊維で構成し、獣毛に近い微妙なウェーブを人工的に付けることにより広がりができ空気が入り込み泡立ちがよくなり、臭いに関しても獣毛に比べてほとんどない。また抗菌剤を練り込むことによりカビ等、衛生面に優れている。獣毛ではカビの発生が早く衛生的に問題がある。【００１７】  獣毛は常に水分を含んだ状態にしておくと劣化が早く進み、毛切れ、毛抜けの問題があるが、テーパー状になったＰＢＴ１００（％）の繊維で構成することにより耐久性にも優れる。【００１８】  ＰＢＴ繊維には直径０．０７（ｍｍ）、０．１０（ｍｍ）、０．１５（ｍｍ）のものがあり洗顔用には０．０７（ｍｍ）で構成したものが一番肌触りがよく優れている。【００１９】  図２は図１、１ａの側面図から見たフラットな形状に対し１ｂのような扇型のタイプを作ることにより様々な人のニーズに応えることができる。【００２０】  図３、１ｃは平面図で、上から見た洗顔ブラシで丸く円柱形にすることにより手首のスナップが使え円を描きながら洗顔することにより泡立ちもよくなり汚れを早く落とすことができる。【００２１】  図４は図１、植毛部の拡大図であり毛先に向い細くなっていく、テーパー状にした毛先のあるＰＢＴ繊維にすることにより肌触りがよくなり獣毛に近い微妙なウェーブを人工的に付けることにより広がりができ空気が入り込み泡立ちもよくなる。【００２２】  図１は直径２６（ｍｍ）に対し長さ４０（ｍｍ）のバランスが一番適している。図５は直径１７．５（ｍｍ）に対して長さ４５（ｍｍ）のバランスが適している。【００２３】  図５は形状の大きさを変えることにより、価格面や様々な人のニーズに答えることができる。図５、４ａは、アルミ金具を使用し５ａは、アクリル樹脂を使用しデザイン的な面でも工夫し使いやすい形態にした。【００２４】  図６は図５よりさらに小さくし鼻周り専用のブラシを作り集中的に洗顔する構造である。４ｂはアルミ金具を使用し、５ｂはアクリル樹脂を使用している。【００２５】  図５、図６の６ａ、６ｂは、つり紐を付けることにより乾燥性、利便性をたかめる。紐には、水に強いポリエステル系の紐を使う。
【産業上の利用可能性】
【００２６】この発明に係る洗顔用ブラシは以上の構成にしたので、一般家庭用として利用できるのはもちろん理容店、エステサロン等、業務用としての利用価値もある。ニキビ対策の洗顔にも利用できる。
【符号の説明】
【００２７】１      洗顔用ブラシ
１ａ    植毛部
１ｂ    植毛部
１ｃ    植毛部
１ｄ    植毛部
２      ハンドル
３      植毛部
４ａ    アルミ金具部品
４ｂ    アルミ金具部品
５ａ    ハンドル
５ｂ    ハンドル
６ａ    つり紐
６ｂ    つり紐
【図１】
0006128364.tif 000002
【図２】
0006128364.tif 000003
【図３】
0006128364.tif 000004
【図４】
0006128364.tif 000005
【図５】
0006128364.tif 000006
【図６】
0006128364.tif 000007